(57)【要約】【課題】屋外から浸入してくる雨水等の水分の浸入を効果的に防ぐことのできるログハウスを提供する。【解決手段】横倒させた複数のログ材１を高さ方向に積み上げてなるログ壁Wを備えたログハウスLは、鉛直方向に隣接してログ壁Wを構成するログ材１の間に、略帯状の防水テープ２がログ材１の長さ方向に介装されている。また、防水テープ２の両端は導出部２２、２３を構成しており、ログ材１の幅方向に折曲して屋外側へ導出されている。【選択図】図１
2019039210.tif 000002
【特許請求の範囲】
【請求項１】
横倒させた複数のログ材を高さ方向に積み上げてなるログ壁を備えたログハウスであって、
鉛直方向に隣接し、上記ログ壁を構成する上記ログ材の間には、略帯状の第一の防水テープが上記ログ材の長さ方向に介装され、
上記第一の防水テープの両端は、上記ログ材の幅方向に折曲して外側へ導出されている、
ことを特徴とするログハウス。
【請求項２】
上記第一の防水テープの両端は、ノッチ部近傍において、上記ログ材の幅方向に折曲して外側へ導出されている、
請求項１記載のログハウス。
【請求項３】
鉛直方向に隣接し、ノッチ部から外側へ突出する上記ログ材の突出部には、略帯状の第二の防水テープが上記ログ材の幅方向に介装され、
上記第二の防水テープの両端は、上記ノッチ部近傍から上記ログ材の幅方向に沿って外側へ導出されている、
請求項１又は２記載のログハウス。
【請求項４】
上記ログ材の鉛直方向の上下の端面には、上方に隣接する上記ログ材と嵌合する第一の嵌合部と、下方に隣接する上記ログ材と嵌合する第二の嵌合部と、が形成されており、
上記第一の嵌合部は、内側及び外側に設けられた一対の第一の突条と、当該一対の第一の突条の間に設けられた第一の条溝と、からなり、
上記第二の嵌合部は、上記一対の第一の突条に対応した一対の第二の条溝と、上記第一の条溝に対応した第二の突条と、からなり、
上記第一の防水テープは、外側に設けられた上記第一の突条と、当該外側に設けられた上記第一の突条に対応する上記第二の条溝の間に介装されている、
請求項１乃至３いずれかの項に記載のログハウス。
【請求項５】
上記第一の防水テープは所定の厚みを有し、
上記第一の防水テープにより、鉛直方向に隣接する上記ログ材の間の隙間が埋められている、
請求項１乃至４いずれかの項に記載のログハウス。
【請求項６】
上記第一の防水テープの端部が外側へ導出される部分にはコーキング処理が施されている、
請求項１乃至５いずれかの項に記載のログハウス。
【発明の詳細な説明】
【技術分野】
【０００１】
本発明は、ログハウスにおいて雨水の浸入を防止する技術に関する。
【背景技術】
【０００２】
丸太組構法による建築物、所謂ログハウスは、丸太、製材その他これに類する木材等のログ材を、欠き込みを入れて交差させながら水平に積み上げることで壁面（ログ壁）を構築している。そのため、板で壁面を構成する建物とは異なり、隣接するログ材の隙間に雨水等の水分が浸入することが懸念され、これを防止するための構造が必要となる。
【０００３】
この点、特許文献１〜３では、鉛直方向に積み上げられるログ材の上下端に形成されている凸条部分に防水部材あるいはシーリングテープを貼り付けた上で、当該ログ材を組み上げてログハウスを構築する方法が提案されている。
【先行技術文献】
【特許文献】
【０００４】
【特許文献１】特許第３２８０５６１号公報
【特許文献２】特許第５１６４９６３号公報
【特許文献３】特許第５９０６５２６号公報
【発明の概要】
【発明が解決しようとする課題】
【０００５】
上記特許文献１〜３記載のログハウスでは、シーリングテープや防水部材によって屋外からの雨水の浸入を一定程度、防ぐことができるが、ログ材間あるいはログ材と防水部材等との間に形成される僅かな隙間に浸入してきた雨水は、この僅かな隙間の中で、毛細管現象によって防水部材等をつたい、屋内へ浸入してしまう。
【０００６】
そこで、本発明は、屋外から浸入してくる雨水等の水分の浸入を効果的に防ぐことのできるログハウスを提供することを目的とする。
【課題を解決するための手段】
【０００７】
上記目的を達成するため、本発明に係るログハウスは、横倒させた複数のログ材を高さ方向に積み上げてなるログ壁を備えたログハウスであって、鉛直方向に隣接し、上記ログ壁を構成する上記ログ材の間には、略帯状の第一の防水テープが上記ログ材の長さ方向に介装され、上記第一の防水テープの両端は、上記ログ材の幅方向に折曲して外側へ導出されていることを特徴とする。
【０００８】
また、上記第一の防水テープの両端は、ノッチ部近傍において、上記ログ材の幅方向に折曲して外側へ導出されているものとしてもよい。
【０００９】
また、鉛直方向に隣接し、ノッチ部から外側へ突出する上記ログ材の突出部には、略帯状の第二の防水テープが上記ログ材の幅方向に介装され、上記第二の防水テープの両端は、上記ノッチ部近傍から上記ログ材の幅方向に沿って外側へ導出されているものとしてもよい。
【００１０】
また、上記ログ材の鉛直方向の上下の端面には、上方に隣接する上記ログ材と嵌合する第一の嵌合部と、下方に隣接する上記ログ材と嵌合する第二の嵌合部と、が形成されており、上記第一の嵌合部は、内側及び外側に設けられた一対の第一の突条と、当該一対の第一の突条の間に設けられた第一の条溝と、からなり、上記第二の嵌合部は、上記一対の第一の突条に対応した一対の第二の条溝と、上記第一の条溝に対応した第二の突条と、からなり、上記第一の防水テープは、外側に設けられた上記第一の突条と、当該外側に設けられた上記第一の突条に対応する上記第二の条溝の間に介装されているものとしてもよい。
【００１１】
また、上記第一の防水テープは所定の厚みを有し、上記第一の防水テープにより、鉛直方向に隣接する上記ログ材の間の隙間が埋められているものとしてもよい。
【００１２】
また、上記第一の防水テープの端部が外側へ導出される部分にはコーキング処理が施されているものとしてもよい。
【発明の効果】
【００１３】
本発明によれば、ログハウスにおいて、屋外から浸入してくる雨水等の水分の浸入を効果的に防ぐことができる。
【図面の簡単な説明】
【００１４】
【図１】本実施形態に係るログハウスの構造を部分的に示した斜視図である。
【図２】本実施形態に係るログハウスを構成する壁面の断面を示したＡ−Ａ断面図である。
【図３】本実施形態に係るログハウスの構造する壁面の断面を示したＢ−Ｂ断面図である。
【図４】本実施形態に係るログハウスの構造を部分的に示した斜視図である。
【００１５】
以下、本発明の実施形態に係るログハウスについて、図を参照して説明する。
本発明の実施形態に係るログハウスLの構造を図１に示す。
なお、各図面では本発明の説明に必要な範囲で各部材等を図示しているのであり、ログハウスLが備えるべき基礎や梁、屋根等は図示を省略しているが、通常のログハウスの構築上、必要なものは適宜、設けられる。
【００１６】
ログハウスLの壁面を構成するログ壁Wは、横倒させた複数のログ材１を高さ方向に積み上げてなる。図１の例では、ログ材１の一端部近傍に、所定の形状に切り欠いたノッチ部１１が形成され、交差する二つのログ壁Wを構成するログ材１のノッチ部１１同士が嵌合している。また、ログ材１の他端部は、窓や扉を構成する枠材４と接合している。なお、図１の例に限らず、ログハウスＬの設計次第で、あるいはログハウスＬを構成する箇所次第で、ログ壁Wを構成するログ材１の端部は、両端がノッチ部１１を構成することもあれば、枠材２と接合することもある。
【００１７】
図２及び図３に示されるように、ログ材１の鉛直方向又は積み上げ方向の上下の端面には夫々、上方に隣接するログ材１と嵌合する嵌合部１２と、下方に隣接するログ材１と嵌合する嵌合部１３とが形成されている。
嵌合部１２は、屋内側及び屋外側に設けられた一対の突条１２a、１２ｂと、一対の突条１２a、１２ｂの間に設けられた条溝１２ｃとからなる。
嵌合部１３は、一対の突条１２a、１２ｂに対応した一対の条溝１３a、１３ｂと、条溝１２ｂに対応して一対の条溝１３ａ、１３ｂの間に設けられた突条１３ｃとからなる。
【００１８】
鉛直方向に隣接し、壁面Wを構成するログ材１の間には、略帯状の防水テープ２がログ材１の長さ方向に介装されている。
特に本実施形態では、防水テープ２は、屋外側に設けられた突条１２ｂと、当該屋外側に設けられた突条１２ｂに対応する条溝１３ｂの間に介装されている。
【００１９】
防水テープ２は、所定の厚みを有する略帯状のテープであり、ビニル樹脂等、防水性を有する材質からなる。
この防水テープ２が所定の厚みを有していることにより、ログ材１が積み上げられると、鉛直方向に隣接するログ材１の間の隙間、即ち目地が防水テープ２で埋められ、ログ材１間からの雨水等の浸入を防ぐことができる。
【００２０】
防水テープ２の裏面側には、防水テープをログ材１に貼り付けるための粘着剤が塗布されており、ログ材１に防水テープ２を貼り付けることができる。
なお、本実施例では、防水テープ２は突条１２ｂ上に貼り付けられるものとしているが、防水テープ２の表裏両面に粘着剤を塗布し、ログ材１の突条１２ｂ及び条溝１３ｂに対して表裏面を貼り付けるようにすることもできる。
また、防水テープ２に粘着剤が塗布されていると、ログ材１を積み上げる際に防水テープ２が剥がれることがないし、粘着剤によってログ材１と防水テープ２の間の隙間が埋められるが、防水テープ２に粘着剤を塗布しない場合でも、ログ材１の間に介装させることは可能であり、この場合でも雨水等の浸入を防ぐことができる。
【００２１】
防水テープ２は、ログ材１の長さ方向に延びる基体部２１と、ログ材１の幅方向に屈曲して屋外側へ導出される両端の導出部２２、２３とからなる。
本実施形態では、防水テープ２の基体部２１がログ材１の長さ方向に沿って突条１２ｂ上に貼り付けられている。防水テープ２の一端はノッチ部１１近傍において折り曲げられて導出部２２を構成し、ログ材１の幅方向に沿って外側へ導出されている。また、防水テープ２の他端は、枠材４近傍において折り曲げられて導出部２３を構成し、ログ材１の幅方向に沿って外側へ導出されている。
【００２２】
これにより、隣接するログ材１の間に浸入してくる雨水等は防水テープ２によって屋内への浸入を妨げられる。詳細には、ログ材１の間に浸入してきた雨水等は主に、防水テープ２の基体部２１によって屋内への浸入を妨げられる。そして、基体部２１から防水テープ２の両端へ伝う雨水等は、導出部２２、２３から屋外側へ排水されることになり、その結果、雨水等がログ材１の端部近傍から屋内へ浸入することもない。
【００２３】
なお、本実施例では、防水テープ２の端部は、ノッチ部１１の近傍あるいは枠材４の近傍において折り曲げられ、ログ材１の幅方向に沿って外側へ導出されるものとしたが、他の例では折り曲げることなく、基体部２１と導出部２２、２３とで別体の３つの防水テープを用意し、ノッチ部１１の近傍あるいは枠材４の近傍において貼り合わせようにすることもできる。
【００２４】
また、本実施形態では、ログ材１のノッチ部１１から外側へ突出する突出部１aにおいて、鉛直方向あるいは積み上げ方向に隣接するログ材１１間に防水テープ３が介装されている。詳細には、防水テープ３は突出部１aのノッチ部１１近傍において、ログ材１１の幅方向に介装されており、両端は外側へ導出されている。
【００２５】
防水テープ３は、防水テープ２と同様、所定の厚みを有する略帯状のテープであり、ビニル樹脂等、防水性を有する材質からなる。また、防水テープ２と同様、表裏面のうちの少なくとも裏面側には粘着剤を塗布しておくのが好適であり、これによりログ材１に貼り付けることができる。
【００２６】
この防水テープ３により、ログ材１が積み上げられたログ壁Ｗにおいて、鉛直方向に隣接するログ材１の間の隙間が埋められ、ログ材１間からノッチ部１１へ雨水等が浸入するのを防ぐことができる。また、ログ材１の突出部１a近傍から浸入してくる雨水等は防水テープ３によってノッチ部１１、さらには屋内へと浸入するのを妨げられる。詳細には、ログ材１の突出部１aへ浸入してきた雨水等は、防水テープ３によって浸入を妨げられると共に、防水テープ３を伝って端部から屋外へ排水される。
【００２７】
本実施形態では図４に示されるように、防水テープ２、３に加えて、ノッチ部１１近傍の入隅部１４にコーキング処理を施してもよい。図４は、コーキング処理によって入隅部１４にコーキング材からなるコーキング部１４aが形成されている状態を示している。
入隅部１４にコーキング処理を施すことにより、入隅部１４の防水テープ２、３によって仕切られていない部分がコーキング材で覆われるため、当該入隅部１４からの雨水等の浸入を防ぐことができる。
【００２８】
また、枠材４近傍においては、防水テープ２の導出部２３が導出される箇所にコーキング処理を施してコーキング部１５ａを形成し、その上から防水テープ５を貼り付けるようにしてもよい。防水テープ５は例えば、略帯状のブチルテープであり、裏面に塗布された粘着剤によりログ壁Wに貼り付けることができる。防水テープ５は、ログ材１の幅方向に沿って、防水テープ２の導出部２３が導出されているコーキング部１５ａと共に、ログ材１と枠材４の接合箇所を覆う。これにより、防水テープ２が介装されていないログ材１と枠材４の接合箇所への雨水等の浸入を防ぐことができる。
【００２９】
以上の本実施形態に係るログハウスＬによれば、屋外から浸入してくる雨水等の水分の浸入を効果的に防ぐことができる。特に、防水テープ２の端部が屋外方向へ導出されていることから、防水テープ２を伝う雨水等も端部から屋外へ排水される。
【００３０】
なお、本実施形態において、防水テープ２、３をログ材１間に介装させる際には、ログ材１から外側へはみ出す部分は適宜の長さにカットし、ログ材１間から防水テープ２、３が不必要に外側へはみ出して外観を損ねるのを避けるのが好ましい。
【００３１】
また、ログ材１は、Ｉ型ログ、Ｄ型ログ、丸ログなど、各種の形状のログ材を用いることができ、これらのログ材についても、本発明の適用は可能である。
【００３２】
また、上述のログハウスＬは、ログハウスＬを構成する部材、即ち、複数のログ材１、及び防水テープ２、３等を含めた組立キットとして提供することもできる。この組立キットを所定の工程に従って組み立てることで、ログハウスＬが建築される。
【符号の説明】
【００３３】
Ｌ      ログハウス
Ｗ      ログ壁
１      ログ材
１ａ    突出部
１１    ノッチ部
１２    嵌合部
１３    嵌合部
１４    入隅部
２      防水テープ
２１    基体部
２２    導出部
２３    導出部
３      防水テープ
４      枠材
５      防水テープ
【図１】
2019039210.tif 000003
【図２】
2019039210.tif 000004
【図３】
2019039210.tif 000005
【図４】
2019039210.tif 000006
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
横倒させた複数のログ材を高さ方向に積み上げてなるログ壁を備えたログハウスであって、
鉛直方向に隣接し、上記ログ壁を構成する上記ログ材の間には、略帯状の第一の防水テープが上記ログ材の長さ方向に介装され、
鉛直方向に隣接し、ノッチ部から外側へ突出する上記ログ材の突出部には、略帯状の第二の防水テープが上記ログ材の幅方向に介装され、
上記第一の防水テープの両端は、上記ログ材の幅方向に折曲して外側へ導出され、
上記第二の防水テープの両端は、上記ノッチ部近傍から上記ログ材の幅方向に沿って外側へ導出されている、
ことを特徴とするログハウス。
【請求項２】
上記第一の防水テープの両端は、ノッチ部近傍において、上記ログ材の幅方向に折曲して外側へ導出されている、
請求項１記載のログハウス。
【請求項３】
上記ログ材の鉛直方向の上下の端面には、上方に隣接する上記ログ材と嵌合する第一の嵌合部と、下方に隣接する上記ログ材と嵌合する第二の嵌合部と、が形成されており、
上記第一の嵌合部は、内側及び外側に設けられた一対の第一の突条と、当該一対の第一の突条の間に設けられた第一の条溝と、からなり、
上記第二の嵌合部は、上記一対の第一の突条に対応した一対の第二の条溝と、上記第一の条溝に対応した第二の突条と、からなり、
上記第一の防水テープは、外側に設けられた上記第一の突条と、当該外側に設けられた上記第一の突条に対応する上記第二の条溝の間に介装されている、
請求項１又は２項に記載のログハウス。
【請求項４】
上記第一の防水テープは所定の厚みを有し、
上記第一の防水テープにより、鉛直方向に隣接する上記ログ材の間の隙間が埋められている、
請求項１乃至３いずれかの項に記載のログハウス。
【請求項５】
上記第一の防水テープの端部が外側へ導出される部分にはコーキング処理が施されている、
請求項１乃至４いずれかの項に記載のログハウス。